【事件の表示】
　特願２０１３−　８５２７３号「遊技機」拒絶査定不服審判事件〔平成２６年１０月３０日出願公開、特開２０１４−２０４９１１号〕について、次のとおり審決する。
【結　論】
　本件審判の請求は、成り立たない。
【理　由】
第１　手続の経緯
　本願は、平成２５年４月１５日の出願であって、平成２６年１０月３０日付けで手続補正がなされたが、平成２６年１１月１３日（発送日：１１月１８日）付けで拒絶査定がなされ、これに対して、平成２７年１月１５日付けで拒絶査定不服審判の請求がなされるとともに手続補正（以下、「本件補正」という。）がなされたものである。 
第２　本件補正についての補正却下の決定
［補正却下の決定の結論］
　本件補正を却下する。
 
［理由］
１．本件補正の概要
　本件補正は特許請求の範囲の請求項１の記載の補正を含むものであり、平成２６年１０月３０日付けの手続補正と本件補正の特許請求の範囲の請求項１の記載はそれぞれ、以下のとおりである（下線部は補正箇所を示す。）。
　
（補正前：平成２６年１０月３０日付け手続補正）
「【請求項１】
　遊技の制御に応じて演出の制御を行う遊技機であって、
　時間情報を提供する提供手段と、
　前記提供手段により提供される時間情報を基に実行が許可されるか否かが判断される特定演出を制御する演出制御手段と、
　島設備に設置されて前記特定演出を実行可能にする機能を搭載する遊技機の台数を示す設置台数情報の入力を入力操作により行うための入力操作手段と、
　前記演出制御手段による前記特定演出にて自身が出力する内容と同じ内容の出力が自身以外の他の遊技機に許容される演出要素としての音響を前記入力操作手段の設置台数情報を基に決定する決定手段と、
　を備えることを特徴とする遊技機。」
（補正後：本件補正である平成２７年１月１５日付け手続補正）
「【請求項１】
　遊技の制御に応じて演出の制御を行う遊技機であって、
　時間情報を提供する提供手段と、
　前記提供手段により提供される時間情報を基に実行が許可されるか否かが判断される特定演出を制御する演出制御手段と、
　島設備に設置されて前記特定演出を実行可能にする機能を搭載する遊技機の台数を示す設置台数情報の入力を入力操作により行うための入力操作手段と、
　前記演出制御手段による前記特定演出にて自身が出力する内容と同じ内容の出力が自身以外の他の遊技機に許容される演出要素としての音響を
、
　を備え
、
　前記決定手段は、前記入力操作手段の設置台数情報により特定される台数の遊技機が互いに異なる内容の音響を出力することで前記特定演出の音響になる場合の、当該遊技機の各々に割り振られることになる音響の内容を示す割り振り情報を基に、自身が担当する音響の内容を決定す
２．補正の適否　　
　審判請求時の補正によって、請求項１の記載は、上記１．の下線部のように補正された。すなわち、補正後の請求項１は、補正前の請求項１に記載された発明特定事項である「決定手段」について、「前記入力操作手段の設置台数情報により特定される台数の遊技機が互いに異なる内容の音響を出力することで前記特定演出の音響になる場合の、当該遊技機の各々に割り振られることになる音響の内容を示す割り振り情報を基に、自身が担当する音響の内容を決定する」との限定をしたものである。
　そして、補正後の請求項１に記載された発明は、補正前の請求項１に記載された発明と、産業上の利用分野及び解決しようとする課題が同一であるので、本件補正は、特許法第１７条の２第５項第２号に規定する「特許請求の範囲の減縮」を目的とする補正に該当する。
　そして、本件補正は、新規事項を追加するものではない。
　
３．独立特許要件
　そこで、本件補正後の前記請求項１に記載された発明が特許出願の際独立して特許を受けることができるものであるか否か、すなわち、特許法第１７条の２第６項において準用する同法第１２６条第７項の規定に適合するか否か、について以下に検討する。
（１）本件補正後の請求項１に係る発明
　補正後の請求項１に係る発明（以下、「本願補正発明」という。）は、上記１．の補正の概要において示したとおりのものである。
（２）刊行物に記載された事項
（２−１）刊行物１
　原査定の拒絶の理由に引用された本願の出願前に頒布された刊行物である「特開２００６−１４２１０６号公報」（以下、「刊行物１」という。）には、図面と共に次の事項が記載されている（下線は当審で付した。）。
（ア）「【００１８】
　次に、
パチンコ機１０
　パチンコ機１０の機裏側には、パチンコ機１０全体を制御する主制御基板３０が装着されている。主制御基板３０は、パチンコ機１０全体を制御するための各種処理を実行し、該処理結果に応じて遊技を制御するための各種の制御信号（制御コマンド）を演算処理し、該制御信号（制御コマンド）を出力する。また、機裏側には、表示制御基板３２と、ランプ制御基板３３と、音声制御基板３４とが装着されている。
表示制御基板３２は、主制御基板３０が出力した制御信号
に基づき、表示装置２０
の表示態様
を制御
音声制御基板３４は、主制御基板３０が出力した制御信号
に基づき、スピーカ１７の音声出力態様（
を制御
（イ）「【００２７】
　以下、
演出グループを構成するパチンコ機１０間で、背景連動演出を実行するため
【００２８】
　パチンコ機１０の機裏側には、「４」〜「６」までの数値を入力可能な第１ディップスイッチＳＷ１と、「１」〜「６」までの数値を入力可能な第２ディップスイッチＳＷ２が設けられている（図３参照）。これらの第１ディップスイッチＳＷ１及び第２ディップスイッチＳＷ２は、中枠１２の開放時に容易に操作できるようにケースなどで覆われることなく露出した状態で設けられている。前記
第１ディップスイッチＳＷ１は、演出グループを構成するパチンコ機１０の設置台数を設定
（ウ）「【００３０】
　次に、
表示制御基板３２のサブＣＰＵ３２ａが、
　サブＣＰＵ３２ａは、電源投入されると、
電源投入された時間を基準時とし、当該基準時からの経過時間を計測してＲＡＭ３２ｃに記憶していく。
背景演出を実行する実行時間を、
設置台数に応じて算出し、設定する。
（エ）「【００３２】
　また、サブＣＰＵ３２ａは、第２ディップスイッチＳＷ２に設定された数値を設置順として入力する。そして、サブＣＰＵ３２ａは、演出時間が設置台数に関係なく常に一定（本実施形態では、６．０秒）となるように、設置順及び
実行時間に基づいて背景演出の実行開始時間を決定してＲＡＭ３２ｃに記憶（設定）する。
（オ）「【００３６】
　このようにサブＣＰＵ３２ａは、開始設定処理で、設置台数に基づき各パチンコ機１０が実行する背景演出の実行時間を設定すると共に、設置順及び実行時間から実行開始時間を決定する。そして、演出グループを構成するパチンコ機１０の各サブＣＰＵ３２ａは、実行処理で、
基準時
から実行開始時間経過後、
背景演出を実行させる。
（カ）「【０１３４】
　尚、上記実施形態は、次のような別の実施形態（別例）にて具体化できる。
　○上記実施形態では、可変表示器Ｈに連動する遊技演出（背景演出）を行わせたが、装飾ランプ１６や
スピーカ１７等に連動する遊技演出を行わせ
　上記（ア）ないし（カ）の記載事項を総合すると、刊行物１には次の発明（以下、「引用発明」という。）が記載されている。
　「主制御基板３０が出力した制御信号に基づき、表示制御基板３２が表示装置２０の表示態様を制御し、音声制御基板３４がスピーカ１７の音声出力態様を制御するパチンコ機１０において、
　演出グループを構成するパチンコ機１０間で背景連動演出を実行するために、第１ディップスイッチＳＷ１において演出グループを構成するパチンコ機１０の設置台数を設定し、
　前記表示制御基板３２のサブＣＰＵ３２ａが、電源投入された時間を基準時とし、当該基準時からの経過時間を計測してＲＡＭ３２ｃに記憶して背景演出を実行する実行時間を設置台数に応じて算出することにより設定し、該実行時間に基づいて背景演出の実行開始時間を決定してＲＡＭ３２ｃに記憶し、前記基準時から前記実行開始時間経過後に前記背景演出を実行するとともに、前記スピーカ１７にて連動する遊技演出を行う、
パチンコ機１０。」
（２−２）刊行物２
　当審で新たに引用する本願の出願前に頒布された刊行物である「特開２０１０−１７３５２号公報」（以下、「刊行物２」という。）には、図面と共に次の事項が記載されている（下線は当審で付した。）。
「【０１６７】
　
第３特定演出が実行される場合に出力される効果音について説明する。パチンコ機１０が設置される遊技ホールには複数のパチンコ機１０が並べて設置されることがある。ＩＤ情報を１ずらしたパチンコ機１０が並べて設置された場合について説明する。図２３は、ＩＤ情報が１，２，３，４，５と設定されたパチンコ機１０が並べて設置された状態を示している。
【０１６８】
　先ず、タイミングｔ４（１９時００分０２秒）では、ＩＤ情報が１のパチンコ機１０から効果音が出力される。その２秒後のタイミングｔ５（１９時００分０４秒）にてＩＤ情報が２のパチンコ機１０から効果音が出力される。タイミングｔ５から１秒が経過したタイミングｔ６にてＩＤ情報が１のパチンコ機１０からの効果音が停止される。その１秒後のタイミングｔ７（１９時００分０６秒）にてＩＤ情報が３のパチンコ機１０から効果音が出力される。タイミングｔ７から１秒が経過したタイミングｔ８にてＩＤ情報が２のパチンコ機１０からの効果音が停止される。以下同様に、タイミングｔ９（１９時００分０８秒）にてＩＤ情報が４のパチンコ機１０から効果音が出力され、その１秒後であるタイミングｔ１０にてＩＤ情報が３のパチンコ機１０からの効果音の出力が停止される。そして、その１秒後であるタイミングｔ１１（１９時００分１０秒）にてＩＤ情報が５のパチンコ機１０から効果音の出力が開始され、その１秒後であるタイミングｔ１２にてＩＤ情報が４のパチンコ機１０からの効果音が停止される。そしてその２秒後のタイミングｔ１３にてＩＤ情報が５のパチンコ機１０からの効果音が停止される。複数のパチンコ機１０から連続して効果音が出力されることにより、
複数のパチンコ機１０が連動した合同演出の実行が可能となる。なお、効果音としてどのような音声を出力してもよく、例えば、複数のパチンコ機１０にて音楽が流れるようにしてもよい。
ＩＤ情報に対応して出力される効果音が変化するようにすればよい。
（３）対比
　本願補正発明と引用発明とを対比する。
（ａ）引用発明の「主制御基板３０が出力した制御信号に基づき、表示制御基板３２が表示装置２０の表示態様を制御し、音声制御基板３４がスピーカ１７の音声出力態様を制御するパチンコ機１０」は、本願補正発明の「遊技の制御に応じて演出の制御を行う遊技機」に相当する。
（ｂ）引用発明の「演出グループを構成するパチンコ機１０間」における「背景連動演出」、「背景演出を実行するとともに、前記スピーカ１７にて連動する遊技演出」は、本願補正発明の「特定演出」に相当する。また、引用発明において「サブＣＰＵ３２ａが、電源投入された時間を基準時とし、当該基準時からの経過時間を計測」しているから、引用発明の「サブＣＰＵ３２ａ」は本願補正発明の「時間情報を提供する提供手段」の機能を有している。
　そして、引用発明は「サブＣＰＵ３２ａが、電源投入された時間を基準時とし、当該基準時からの経過時間を計測してＲＡＭ３２ｃに記憶して背景演出を実行する実行時間を設置台数に応じて算出することにより設定し、該実行時間に基づいて背景演出の実行開始時間を決定してＲＡＭ３２ｃに記憶し、前記基準時から前記実行開始時間経過後に前記背景演出を実行するとともに、前記スピーカ１７にて連動する遊技演出を行う」ものであるから、引用発明の「サブＣＰＵ３２ａ」は本願補正発明の「提供手段により提供される時間情報を基に実行が許可されるか否かが判断される特定演出を制御する演出制御手段」に相当する。
（ｃ）引用発明は「演出グループを構成するパチンコ機１０間で背景連動演出を実行するために、第１ディップスイッチＳＷ１において演出グループを構成するパチンコ機１０の設置台数を設定」するから、引用発明の「第１ディップスイッチＳＷ１」は本願補正発明の「島設備に設置されて前記特定演出を実行可能にする機能を搭載する遊技機の台数を示す設置台数情報の入力を入力操作により行うための入力操作手段」に相当する。
（ｄ）上記（ｂ）のとおり、引用発明の「背景演出」と「スピーカ１７にて連動する遊技演出」が本願補正発明の「特定演出」に相当するが、引用発明の「背景演出」と「スピーカ１７にて連動する遊技演出」のそれぞれについては、本願補正発明の「演出要素」に相当する。
　そして、引用発明の「背景演出」は、設置台数情報による演出グループを構成するパチンコ機１０間で背景連動演出を実行するため、例えば、特定のパチンコ機１０（自身）と演出グループを構成するその他のパチンコ機１０とは背景演出が連動する同様の表示演出である。したがって、背景演出に連動するスピーカ１７による遊技演出も、特定のパチンコ機１０と演出グループを構成するその他のパチンコ機１０とは同様の音響演出であることは明らかである。
　引用発明の「音声制御基板３４」はスピーカ１７の音声出力態様（音響演出）を制御するものであるから、結局、本願補正発明の「演出制御手段による前記特定演出にて自身が出力する内容と同じ内容の出力が自身以外の他の遊技機に許容される演出要素としての音響を、前記入力操作手段の設置台数情報を基に決定する決定手段」に相当する。
　そうすると、上記（ａ）〜（ｄ）から、両者は、
「遊技の制御に応じて演出の制御を行う遊技機であって、
　時間情報を提供する提供手段と、
　前記提供手段により提供される時間情報を基に実行が許可されるか否かが判断される特定演出を制御する演出制御手段と、
　島設備に設置されて前記特定演出を実行可能にする機能を搭載する遊技機の台数を示す設置台数情報の入力を入力操作により行うための入力操作手段と、
　前記演出制御手段による前記特定演出にて自身が出力する内容と同じ内容の出力が自身以外の他の遊技機に許容される演出要素としての音響を、前記入力操作手段の設置台数情報を基に決定する決定手段とを備えた遊技機」
において一致し、次の点で相違する。
（相違点）
　入力操作手段の設置台数情報により特定される台数の遊技機において、本願補正発明の決定手段は、互いに異なる内容の音響を出力することで特定演出の音響になる場合の、当該遊技機の各々に割り振られることになる音響の内容を示す割り振り情報を基に、自身が担当する音響の内容を決定するのに対し、引用発明の決定手段はそのような特定がない点。
（４）判断
　刊行物２には、上記（２−２）のとおり、複数のパチンコ機１０が並べて設置され、特定演出が実行される場合に出力される効果音について記載されており、ＩＤ情報が設定された複数のパチンコ機１０が連動した合同演出の実行が可能であり、効果音としてどのような音声を出力してもよく、ＩＤ情報に対応して出力される効果音が変化するようにすることが記載されている。
　したがって、特定演出が実行される複数のパチンコ機１０において、各パチンコ機１０の効果音を異ならせ、連動した合同演出の実行が可能な構成が示されている。そして、各パチンコ機１０の効果音を異ならせることは、互いに異なる音響の内容をパチンコ機１０の各々に割り振られ、その結果、自身の遊技機が担当する音響の内容も決定されることでもある。
　したがって、引用発明の決定手段において、刊行物２の記載事項を適用することで、前記相違点に係る本願補正発明とすることは当業者が容易になし得ることである。
　そして、本願補正発明の効果は、引用発明、刊行物２の記載事項からみて格別なものではない。
　よって、本願補正発明は引用発明及び刊行物２に記載された事項に基づいて当業者が容易に発明できたものであり、特許法第２９条第２項の規定に基づいて特許出願の際独立して特許を受けることができない。
　なお、審判請求人は請求書において、審判請求時の補正の根拠と本願補正発明と引用発明の相違を主張しているが、前述のとおり、前記刊行物２に相違点に係る本願補正発明の構成は記載されているから、請求人の主張は採用できない。
４．むすび
　よって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明
　本件補正（平成２７年１月１５日付け手続補正）は、上記第２のとおり却下されたので、本願の請求項１に係る発明（以下、「本願発明」という。）は、平成２６年１０月３０日付けの手続補正書により補正された、上記第２の１．で前述した特許請求の範囲の請求項１に記載された事項により特定される次のとおりのものである。
「【請求項１】
　遊技の制御に応じて演出の制御を行う遊技機であって、
　時間情報を提供する提供手段と、
　前記提供手段により提供される時間情報を基に実行が許可されるか否かが判断される特定演出を制御する演出制御手段と、
　島設備に設置されて前記特定演出を実行可能にする機能を搭載する遊技機の台数を示す設置台数情報の入力を入力操作により行うための入力操作手段と、
　前記演出制御手段による前記特定演出にて自身が出力する内容と同じ内容の出力が自身以外の他の遊技機に許容される演出要素としての音響を前記入力操作手段の設置台数情報を基に決定する決定手段と、
　を備えることを特徴とする遊技機。」
１．刊行物
　原査定の拒絶の理由に引用された刊行物１の記載事項、引用発明は、上記第２の３．（２）（２−１）に記載したとおりである。
　
２．対比・判断
　本願発明は、本願補正発明の発明特定事項から、上記第２の１．の下線部の
「前記決定手段は、前記入力操作手段の設置台数情報により特定される台数の遊技機が互いに異なる内容の音響を出力することで前記特定演出の音響になる場合の、当該遊技機の各々に割り振られることになる音響の内容を示す割り振り情報を基に、自身が担当する音響の内容を決定する」
という構成を省いたものである。そして、この構成は前記第２の３（３）の相違点に相当するものである。
　
　そこで、本願発明と引用発明を対比すると、両者の間に相違点はない。
　したがって、本願発明は引用発明と同一であり、刊行物１に記載された発明であるといえる。
　
３．むすび
　以上のとおり、本願発明は、特許法第２９条第１項第３号の規定に基づいて特許を受けることができないものである。
　したがって、本願は拒絶すべきである。　
　よって、結論のとおり審決する。